(57)【要約】【課題】大きな力を必要とせずに下腿部を揉みほぐすことができるマッサージ器具を提供する。【解決手段】本考案に係るマッサージ器具１０は、両端部が接近する方向に変形可能に湾曲もしくは屈曲して形成された支持部材１２と、支持部材１２の両端部に設けられた把手部材１４と、支持部材１２の内側であって、下腿部を押圧する位置に配置された突起部１６とを具備している。【選択図】図１
0003181653.tif 000002
【実用新案登録請求の範囲】
【請求項１】
下腿部を押圧してマッサージを行うマッサージ器具において、
両端部が接近する方向に変形可能に湾曲もしくは屈曲して形成された支持部材と、
該支持部材の両端部に設けられた把手部材と、
前記支持部材の内側であって、下腿部を押圧する位置に配置された突起部とを具備していることを特徴とするマッサージ器具。
【請求項２】
前記突起部が下腿部にある脛骨の裏側を押圧可能な位置に配置されていることを特徴とする請求項１に記載のマッサージ器具。
【請求項３】
前記支持部材は、下腿部の外周部を半周以上覆うことが可能な長さであり、前記把手部材により、前記支持部材の両端部が接近する方向に押圧された際、前記突起部が脛骨の裏側方向に弧状に進入する動きをするように前記支持部材が形成されていることを特徴とする請求項１または請求項２に記載のマッサージ器具。
【請求項４】
前記支持部材の内側の前記突起部と対向する側に下腿部を前記突起部と挟み込む押し当て部を有することを特徴とする請求項１から請求項３のいずれか一項に記載のマッサージ器具。
【請求項５】
前記押し当て部が、前記支持部材の内側の複数個所に移動可能に取り付けられていることを特徴とする請求項４に記載のマッサージ器具。
【請求項６】
前記突起部は、先端に、脛骨の長手方向に沿った所定範囲を押圧可能な押圧面を有することを特徴とする請求項１から請求項５のいずれか一項に記載のマッサージ器具。
【請求項７】
前記押圧面は、複数の微小突起を有する形状に形成されていることを特徴とする請求項６に記載のマッサージ器具。
【請求項８】
前記押し当て部は、前記突起部の押圧面よりも広い面積に形成されて下腿部と当接する押し当て面を有することを特徴とする請求項４から請求項７のいずれか一項に記載のマッサージ器具。
【請求項９】
前記把手部材は、人の手の指が嵌合可能な切欠き部を有することを特徴とする請求項１から請求項８のいずれか一項に記載のマッサージ器具。
【請求項１０】
前記支持部材は、前記押し当て部に隣接する位置に、所定の変形が行われた際に該押し当て部に当接して変形を停止させるストッパを有することを特徴とする請求項４から請求項９のいずれか一項に記載のマッサージ器具。
【請求項１１】
前記突起部は、該突起部が前記脛骨の奥に入り込むことを防止する段違い面を有することを特徴とする請求項２から請求項１０のいずれか一項に記載のマッサージ器具。
【考案の詳細な説明】
【技術分野】
【０００１】
本考案は、マッサージ器具に関するものである。
【背景技術】
【０００２】
脚をマッサージするために用いられる機械または器具として、椅子のように腰かけてふくらはぎの筋肉部分をはじめとする脚全体を十分に揉みほぐすことができるマッサージ機が特許文献１に開示されている。また、足のマッサージ、足のツボを押すことができる足もみ器が特許文献２に開示されている。
【先行技術文献】
【特許文献】
【０００３】
【特許文献１】特開２０１２−１３９５３６号公報
【特許文献２】特開２０１２−８５９７５号公報
【考案の概要】
【考案が解決しようとする課題】
【０００４】
従来の脚用マッサージ機器は、下腿部、特にふくらはぎを揉んでひざ下からつま先までの血行を良くして疲れを取り、脚の冷えを予防するものである。特許文献１のように自動でマッサージする機器は高価である。また、特許文献２のように人の力で操作する器具では、より大きな力を必要とし、下腿部のマッサージによって首、肩、腕、指に痛みが出て容易に下腿部を揉むことができない。
【０００５】
そこで本考案は上記課題を解決するためになされたもので、その目的とするところは、大きな力を必要とせずに下腿部を揉みほぐすことができるマッサージ器具を提供することにある。
【課題を解決するための手段】
【０００６】
上記目的を達成するため、本考案のマッサージ器具は次の構成を備える。すなわち本考案は、下腿部を押圧してマッサージを行うマッサージ器具において、両端部が接近する方向に変形可能に湾曲もしくは屈曲して形成された支持部材と、該支持部材の両端部に設けられた把手部材と、前記支持部材の内側であって、下腿部を押圧する位置に配置された突起部とを具備していることを特徴とする。この構成によれば、大きな力が要らずに下腿部を揉んでマッサージをすることができるマッサージ器具である。
【０００７】
また、本考案において、前記突起部が下腿部にある脛骨の裏側を押圧可能な位置に配置されていることが好ましい。これによれば、健康増進に極めて効果の高い下腿部の脛骨の裏側を押圧することができ、下腿部の血行を良くして体を温めることができる。
【０００８】
また、本考案において、前記支持部材は、下腿部の外周部を半周以上覆うことが可能な長さであり、前記把手部材により、前記支持部材の両端部が接近する方向に押圧された際、前記突起部が脛骨の裏側方向に弧状に進入する動きをするように前記支持部材が形成されていることが好ましい。これによれば、脛骨を挟んで下腿部の両側面から挟み込むことができ、支持部材に設けられた突起部が下腿部、特に脛骨の裏側に向かって入り込むので、脛骨の裏側を押圧することができる。
【０００９】
また、本考案において、前記支持部材の内側の前記突起部と対向する側に下腿部を前記突起部と挟み込む押し当て部を有することが好ましい。これによれば、脛骨を挟んで下腿部の外側と内側との両側面から挟み、下腿部の内側側面、特に脛骨の裏側を押圧することができる。
【００１０】
また、本考案において、前記押し当て部が、前記支持部材の内側の複数個所に移動可能に取り付けられていることが好ましい。これによれば、どのような太さの脚でも脛骨を挟んで下腿部の両側面から挟み込むことができる。
【００１１】
また、本考案において、前記突起部は、先端に、脛骨の長手方向に沿った所定範囲を押圧可能な押圧面を有することが好ましい。これによれば、脛骨の長手方向に沿った所定範囲を押圧できるよう、突起部の先端が鋭利ではなく幅広であるので、痛みを過度に感じずに下腿部を揉みほぐすことができる。
【００１２】
また、本考案において、前記押圧面は、複数の微小突起を有する形状に形成されていることが好ましい。これによれば、所定の箇所のみを押圧してマッサージをするだけではなく、脛骨の長手方向に沿った所定範囲を押圧しながら脛骨の長手方向に沿って動かしてマッサージをすることができ、健康増進効果が高まる。
【００１３】
また、本考案において、前記押し当て部は、前記突起部の押圧面よりも広い面積に形成されて下腿部と当接する押し当て面を有することが好ましい。これによれば、脛骨を挟んで下腿部の外側、内側の両側面から挟み、外側側面に押し当て部を配置することで、外側側面の押圧力は小さくなり、脚の筋肉を傷めずに脚の内側側面、特に脛骨の裏側を押圧することができる。
【００１４】
また、本考案において、前記把手部材は、人の手の指が嵌合可能な切欠き部を有することが好ましい。これによれば、把手部材を持ちやすくかつ力が掛けやすくなるため、マッサージがしやすくなる。
【００１５】
また、本考案において、前記支持部材は、前記押し当て部に隣接する位置に、所定の変形が行われた際に該押し当て部に当接して変形を停止させるストッパを有することが好ましい。これによれば、支持部材が過度に曲がりすぎることを防止できる。
【００１６】
また、本考案において、前記突起部は、該突起部が脛骨の奥に入り込むことを防止する段違い面を有することが好ましい。これによれば、押圧する力が大きすぎるときに、突起部が下腿部の脛骨の裏側を通り過ぎて、下腿部の中心に近い脛骨の奥に入り込むことを防止できる。
【考案の効果】
【００１７】
本考案に係るマッサージ器具によれば、大きな力を必要とせずに下腿部を揉みほぐすことができる。
【図面の簡単な説明】
【００１８】
【図１】本考案の実施形態に係るマッサージ器具の一例を示し、（Ａ）は正面図、（Ｂ）は側面図である。
【図２】右脚下腿部の側面図である。
【図３】右脚のふくらはぎの部分における断面図であり、（Ａ）は突起部が下腿部を押圧する前の状態、（Ｂ）は突起部が下腿部を押圧しているときの状態である。
【図４】本考案の実施形態に係るマッサージ器具の突起部を示した拡大図である。
【考案を実施するための形態】
【００１９】
以下、本考案の実施形態を添付図面に基づいて詳細に説明する。
【００２０】
図１は、本考案の実施形態に係るマッサージ器具１０の一例を示し、（Ａ）は正面図、（Ｂ）は側面図である。本考案の実施形態のマッサージ器具１０は、下腿部のマッサージをするマッサージ器具であり、支持部材１２は下腿部を挟んで装着され、下腿部を押圧するものである。マッサージ器具１０の支持部材１２は変形可能であり、両端部が接近する方向に力を加えると湾曲もしくは屈曲するものである。図１のマッサージ器具１０の一例では、円弧状に湾曲した支持部材１２を示し、支持部材１２の内側および外側に各部材が備え付けられている。マッサージ器具１０の他の例として、湾曲した支持部材１２に換えて、屈曲した支持部材（図示せず）を用いてもよく、湾曲した支持部材１２を屈曲した支持部材に置き換えても同様の効果が得られるものである。なお、変形可能な屈曲した支持部材については、説明を省略または変形可能な湾曲した支持部材１２としてまとめて説明する。
【００２１】
マッサージ器具１０には変形可能な支持部材１２の他に、支持部材１２の両端部に設けられた把手部材１４と、支持部材１２の内側であって、下腿部を押圧する位置に配置された突起部１６とを有する。把手部材１４は、支持部材１２の外側に設けられ、設けられた把手部材を１４Ａ、１４Ｂとし、把手部材１４Ａ、１４Ｂの間の距離であって支持部材１２の開口部の距離をｄとする。図１（Ａ）に示すマッサージ器具１０は、変形可能な支持部材１２が変形される前の形状である。把手部材１４を手で持ち、突起部１６は把手部材１４の近傍に設けられ、距離ｄを広げた状態またはそのままの距離の状態で下腿部を支持部材１２の内側に入れ、距離ｄを縮めて突起部１６によって下腿部を押圧することが可能である。
【００２２】
また、支持部材１２に湾曲もしくは屈曲して形成された部材を用いることで、把手部材１４を手で持ち、距離ｄを広げた状態に支持部材１２を変形させると、変形前の形状に戻ろうと距離ｄを縮める方向に自然に力が働く。このため、距離ｄを広げた状態にするには、把手部材１４Ａ、１４Ｂを持って距離ｄを広げた状態で保とうとする力を加えなければならない。また、距離ｄを広げて支持部材１２の形状が変形されて下腿部に装着された後、弾性的な力が加わって下腿部を押圧できれば、より小さな力で押圧することができる。ここで、弾性的な力とは、変形された支持部材１２が元の形状に戻ろうとする弾性的な力や、バネ等の弾性部材が支持部材１２に設けられていて、支持部材１２が弾性部材によって下腿部を押圧する方向に向かう力である。また、支持部材１２の材質は弾性変形可能な材料を用いることが好ましく、一例としてプラスチック等を用いて形成されることが好ましい。
【００２３】
図２は下腿部の側面図であり、右脚を脛骨側から見た側面図である。図３は、図２におけるＹ−Ｙ線断面図で、右脚のふくらはぎ部分を上半身側から下半身側に向かって右脚を見たときの断面図であり、脛骨１８と腓骨２０を示す。図３の紙面上における上方向は爪先方向である。さらに図３には本考案の実施形態に係るマッサージ器具１０を示し、把手部材１４を持って支持部材１２を変形させた状態である。下腿部にある脛骨１８の裏側とは点線の枠で囲まれ斜線で示した箇所であり、この箇所をＸで示す。突起部１６は支持部材１２に配置され、下腿部にある脛骨１８の裏側Ｘを押圧可能な位置に設けられることが好ましい。下腿部のマッサージをするときは、図３（Ａ）に示すように、支持部材１２の両端部に設けられた把手部材１４を持ち、距離ｄを長くして突起部１６の先端が脛骨１８の裏側Ｘ付近の皮膚に当たるように支持部材１２を変形させる。その後、図３（Ｂ）に示すように、把手部材１４を持ちながら距離ｄを短くして突起部１６の先端が脛骨１８の裏側Ｘに向かって押圧されるように支持部材１２を変形させる。これにより、人の僅かな力で下腿部のマッサージをすることができ、さらに健康増進に極めて効果の高い下腿部の脛骨１８の裏側Ｘを押圧することができる。本考案の実施形態のマッサージ器具１０は、当然のことながら左脚にも用いることができ、突起部１６が左脚の脛骨１６側に当たるように把手部材１４を持ち替えて左右反転させて使用すればよい。
【００２４】
支持部材１２は、下腿部の外周部を半周以上覆うことが可能な長さであることが好ましい。支持部材１２が半周以上の長さがあれば、把手部材１４により、支持部材１２の両端部が接近する方向に押圧されて距離ｄを縮めた際、突起部１６が脛骨１８の裏側方向に弧状に進入する動きをすることができる。図３（Ａ）、（Ｂ）に記載の、突起部１６上にある点線で描かれた弧状の矢印方向は、突起部１６が脛骨１８の裏側方向に弧状に進入する動きを示したものであり、この動きによって、脛骨１８の裏側Ｘに突起部１６を当てて押圧することができる。
【００２５】
支持部材１２の内側には、突起部１６と対向する側に下腿部を突起部１６と挟み込む押し当て部２２を有していることが好ましい。押し当て部２２を突起部１６と対向する側の支持部材１２内側に設けることにより、下腿部を突起部１６と押し当て部２２とで挟み込むことができる。さらに把手部材１４を持ちながら距離ｄを短くすれば、より確実に突起部１６が下腿部の所定の位置に当接されて、特に脛骨１８側の面を揉みほぐすことができる。他にも、押し当て部２２によって腓骨２０側の面も揉みほぐすことができる。押し当て部２２の形状としては、図３に示すように球状でもよく、特に腓骨２０側の皮膚に当接する面の部分を凸面、平面、凹面状にして下腿部の形状に合わせたり、腓骨２０側に係る圧力をコントロールしたりしてもよい。
【００２６】
図３（Ａ）に示す突起部１６の先端が脛骨１８の裏側Ｘ付近の皮膚に当接するように湾曲した支持部材１２の内側に下腿部を入れると、押し当て部２２は腓骨２０側の面に当接するような位置にくる。そして、支持部材１２の両端部が接近する方向に押圧されて距離ｄを縮めた際に、突起部１６の先端が下腿部の脛骨１８側の面に当接し、押し当て部２２が腓骨２０側の面に当接し、下腿部は支持部材１２によって挟み込まれる。さらに支持部材１２の両端部が接近する方向に押圧されて図３（Ｂ）のように距離ｄを縮めると点線で描かれた弧状の矢印方向に突起部１６が動いて下腿部内に向かって進入する。このとき、突起部１６の動きは脛骨１８の裏側方向に弧状に進入する動きであり、「すくいあげる」もしくは「えぐるような」動きとなって脛骨１８の裏側Ｘに突起部１６を当てて押圧することができる。
【００２７】
脛骨１８の裏側Ｘが押圧されるためには、マッサージ器具１０の突起部１６が脛側からではなく、ふくらはぎ側から進入しなければならない。そして、一般的なマッサージ器具を用いて人の力だけでふくらはぎ側から突起状のようなもので押圧するためには、身体の構造上の点から不自然な姿勢や腕を動かせる範囲等の動きに制限がある中で、ふくらはぎ側から押圧しなければならない。このため、マッサージをするだけで肩や腕、首筋に痛みが出てしまう。しかし、本考案の実施形態のマッサージ器具１０は、支持部材１２に設けられた突起部１６が、自然に脛骨１８の裏側方向に弧状に進入する動きとなるため、大きな力を加えなくても容易に下腿部のマッサージをすることができる。
【００２８】
本考案のマッサージ器具１０は、押し当て部２２が支持部材１２の内側の複数個所に移動可能に取り付けられていることが好ましい。押し当て部２２を移動可能に取り付ける方法の一例として、図１に示すように、支持部材１２内には押し当て部２２を固定する固定部２４が設けられていてもよい。固定部２４は複数個の固定穴から成り、押し当て部２２の支持部材１２側の面に固定ピン２６が設けられていて、固定ピン２６を固定穴に挿入して押し当て部２２を固定させることができる。押し当て部２２が移動可能に取り付けられることにより、個人によって異なる下腿部の太さに対応でき、下腿部が太いときは支持部材１２の両端部に近くなる固定穴に押し当て部２２の固定ピン２６を挿入して固定させ、支持部材１２を下腿部に挟み込むことができる。押し当て部２２が支持部材１２に移動可能に取り付けられる方法は、固定部２４を設けて固定させる方法に限定されるものではない。
【００２９】
図４は支持部材１２と把手部材１４と突起部１６とを示した拡大図であり、図１に示す突起部１６を矢印Ａ方向から見た図である。図４の紙面上における上方向は、突起部１６の先端である。突起部１６は先端に脛骨１８の長手方向に沿った所定範囲を押圧可能な押圧面１７Ａを有していることが好ましく、さらに図４のように、押圧面１７Ａは複数の微小突起２８を有する形状に形成されていることが好ましい。脛骨１８の長手方向に沿った所定範囲を押圧可能となるよう突起部１６の先端は幅広形状であり、形成された微小突起２８の数は限定されない。突起部１６の押圧面１７Ａが下腿部に当接し、下腿部が押圧されているとき、押圧されている位置を動かさないで押圧し続けていれば痛みを過度に感じずに下腿部を揉みほぐすことができる。さらに、突起部１６の押圧面１７Ａが下腿部に当接し、下腿部が押圧されているとき、把手部材１４を持って脛骨１８の長手方向に沿って動かすことにより、脛骨１８の長手方向に沿った所定範囲をより広い範囲で押圧することができる。把手部材１４の動かし方は、脛骨１８の長手方向に沿って左右の手に持った把手部材１４Ａ、１４Ｂを同方向に動かしてもよく、また、左右をそれぞれ反対方向に動かして所定範囲を集中的に揉みほぐしてもよい。
【００３０】
マッサージ器具１０を正面から見ると、図１（Ａ）に示すように把手部材１４Ａ、１４Ｂは支持部材１２の両端部に取り付けられ、ハの字状となるように取り付けられている。支持部材１２に設けられた突起部１６の形状は側面から見ると、図１（Ａ）、図３に示すように、進入方向に対して段違いの面を有し、突起部１６は段違い面１７Ｂを有する。突起部１６の先端の押圧面１７Ａから段違い面１７Ｂまでは、突起部１６の突起１６Ａとする。支持部材１２の両端部が接近する方向に押圧されて図３（Ｂ）のように距離ｄを縮めると把手部材１４に加えられた力は、突起部１６の突起１６Ａに伝わり、突起１６Ａによって下腿部は白抜き矢印Ｂの方向に押圧される。支持部材１２の両端部にハの字状に取り付けられた把手部材１４は、開口部の距離ｄを広げるもしくは縮めるときに突起部１６と同様に弧状に動く。特に距離ｄを縮めて把手部材１４が弧状に動くと、把手部材１４に加えられた力は自然に脛骨１８の裏側方向に働き、把手部材１４を持つだけで無理な力を掛けなくても下腿部が押圧されてマッサージをすることができる。他にも、無理な力を加えずに健康増進に極めて効果の高い下腿部の脛骨１８の裏側Ｘを押圧することができ、下腿部の血行を良くすることができる。
【００３１】
図１、図３に示すように、突起部１６の先端は下腿部を押圧する押圧面１７Ａが形成され、押し当て部２２が下腿部と当接する面を押し当て面として、押し当て部２２の押し当て面は、突起部１６の押圧面１７Ａよりも広い面積に形成されていることが好ましい。さらに図１（Ａ）、図３に示すように突起部１６を側面から見ると、突起部１６の押圧面１７Ａとなる先端方向に向かって細くなる形状であるため、突起部１６の先端が脛骨１８の裏側に向かって入り込んで押圧できるようになる。これに対し、押し当て部２２の形状は前述のように、腓骨２０側に当接する面の部分を凸面、平面、凹面状にして、突起部１６の押圧面１７Ａよりも広い面積に形成することで腓骨２０側に掛かる圧力をコントロールしながら、脛骨側に突起部１６を侵入させることができる。また、押し当て部２２は脚の太さに合わせて中心方向に向かう押し当て部２２の厚さを変えればよく、腓骨側の面の押圧力は小さくなり、脚の筋肉を傷めずに脛骨１８の裏側を押圧することができる。
【００３２】
把手部材１４は、人の手の指が嵌合可能な切欠き部を有することが好ましい。支持部材１２の両端部に近い方から親指用の切欠き部を設ければよく、その他の指に対しても切欠き部を設けてもよい。本考案のマッサージ器具１０は、把手部材１４を握って持ち、脛側から支持部材１２を下腿部に進入させて下腿部を挟むので、持ちやすくて手に自然に力が加えられるよう、親指用切欠き部３０は支持部材１２と把手部材１４が接続されていない側に設ける方が好ましい。他の指に対しての切欠き部の数と位置は特に限定されないが、親指用切欠き部３０と同じ側に設けることが、より把手部材１４を握って支持部材１２に力が加えられるので好ましい。
【００３３】
支持部材１２は、押し当て部２２に隣接する位置に、所定の変形が行われた際に押し当て部２２に当接して変形を停止させるストッパ３２を有することが好ましい。ストッパ３２を設ける位置は押し当て部２２に隣接する位置であり、両端部に近い側である。ストッパ３２を設けることにより、支持部材１２が過度に曲がりすぎることを防止でき、曲がりすぎないので突起部１６が下腿部に入り込み過ぎず筋肉を傷めることはない。
【００３４】
支持部材１２の両端部が接近する方向に押圧されて下腿部の脛骨１８の裏側に向かって入り込む際に、押圧する力が大きすぎると下腿部の脛骨１８の裏側を通り過ぎて、下腿部の中心に近い脛骨１８の奥に入り込む恐れがある。段違い面１７Ｂを突起部１６に設けることにより、段違い面１７Ｂが脛骨１８付近の皮膚に当たってストッパの役目を果たし、突起部１６の先端が脛骨１８の奥に入り込むことを防止できる。また、突起部１６の先端の押圧面１７Ａから段違い面１７Ｂまでの距離は適宜調整すればよいが、１０ｍｍ程度にすれば突起部１６が脛骨１８の奥に入り込むことを防止できる。
【符号の説明】
【００３５】
１０  マッサージ器具
１２  支持部材
１４、１４Ａ、１４Ｂ  把手部材
１６  突起部
１６Ａ  突起
１７Ａ  押圧面
１７Ｂ  段違い面
１８  脛骨
２０  腓骨
２２  押し当て部
２４  固定部
２６  固定ピン
２８  微小突起
３０  親指用切欠き部
３２  ストッパ
Ｘ    脛骨の裏側
【図１】
0003181653.tif 000003
【図２】
0003181653.tif 000004
【図３】
0003181653.tif 000005
【図４】
0003181653.tif 000006